(57)【要約】  【課題】  従来の筆穂は、獣毛と先端をテーパー化した合成樹脂製筆毛とを混毛したものの場合、獣毛ゆえの欠点を合わせ持たざるを得ず、又、クリンプの波長が各々相違する多数の合成樹脂製筆毛よりなるものの場合、空間率が大きくなり易く、塗布性は向上するが、腰が弱くなり使用感が悪くなるといった問題を有していた。又、先端をテーパー化した合成樹脂製筆毛を用いて、ストレートな大径と小径と断面形状が異形な筆毛を混毛した筆穂は、塗布液の掻き取り性は良いが、塗布液が溝に入り込み易く、塗布液の吐出が悪くなったり、ストレートな大径の筆毛を用いているので、使用感がハードになるといった問題があった。  【解決手段】  毛先がテーパー加工された合成樹脂製の筆毛を束ねて筆穂とし、該筆穂を軸に取り付けた筆穂において、この筆穂の中間部における外形と先端部近傍における外形とがほぼ同形となるように筆毛を構成した筆穂。【選択図】  図１
2010148744.tif 000002
【特許請求の範囲】
【請求項１】
毛先がテーパー加工された合成樹脂製の筆毛を束ねて筆穂とし、該筆穂を軸に取り付けた筆穂において、この筆穂の中間部における外形と先端部近傍における外形とがほぼ同形となるように筆毛を構成したことを特徴とする筆穂。
【請求項２】
前記筆毛の先端部を斜形状に配置し筆穂を構成したことを特徴とする請求項１記載の筆穂。
【請求項３】
前記筆毛の長手方向に沿って、筆穂先端部の斜形状の頂部から斜形状底部の長さの差異が０．５〜４．０ｍｍである請求項1、或いは、請求項２に記載の筆穂。
【請求項４】
前記筆穂に断面が中空を有する筆毛を少なくとも混毛したことを特徴とする請求項1〜請求項３の何れかに記載の筆穂。
【請求項５】
前期筆穂に使用する筆毛の基部の太さを０．０５ｍｍ〜０．１６ｍｍの範囲としたことを特徴とする請求項１〜請求項４の何れかに記載の筆穂。
【発明の詳細な説明】
【技術分野】
【０００１】
本発明は、リップブラシやコーンシーラー及び付け筆タイプのネイルなどの液体の化粧液、筆跡修正液、漆器用といったパウダーや高粘度インキを塗布する筆穂に関し、塗布液の保持性と吐出が良好で、塗布時のタッチを滑らかにし、長い時間使用しても筆穂が乾燥しにくい筆穂に関するものである。
【背景技術】
【０００２】
従来、筆などの筆穂は、馬や鹿、豚、鼬、狸、栗鼠、羊、などの獣毛を使用しており、使用目的、使用者の好みなどによって筆穂の硬さ、太さなどを調整して、上記獣毛の種類や組み合わせ方を変えて製品としている。一般的には、筆毛のテーパー形状が長くその表面が繊細で且つ肌当たりが柔らかい獣毛のみで作った筆穂の品質が良いとされている。得に、鼬毛、羊毛、栗鼠がその代表である。しかし、獣毛は天然物であるため、品質が一定なものが得難いとか、任意の寸法形状のものとすることが困難であるとか、耐摩耗性が低いとかいった問題もあり、更には、鼬、狸、栗鼠の収穫量の減少による高価格化といった問題もある。
【０００３】
そこで、筆穂を形成する獣毛の代わりに合成樹脂製の筆毛を用いることが行われている。合成樹脂製繊維の先端をテーパー化し、獣毛のような合成樹脂製の筆毛となすためには、合成樹脂製繊維を溶解または分解する処理液に接触させる方法などが提案されている。(特許文献１参照、特許文献２参照)。
【０００４】
ところで、先端をテーパー化した合成樹脂製の筆毛を用いた筆穂は、化粧料の保持力が低いといった問題や塗布した際の肌当たりがハードで使用感が悪いといった問題を有している。これを解決するために、獣毛と先端をテーパー化した合成樹脂製の筆毛とを混毛してなる筆穂(特許文献３参照)や波状に皺曲(クリンプ)して、その波長が各々相違する多数の合成樹脂製の筆毛よりなる筆穂(特許文献４参照)や先端をテーパー化した合成樹脂製の筆毛を用いて、ストレートな大径と小径と断面形状が異形な筆毛を混毛した筆穂(特許文献５参照)などが提案されている。
【０００５】
【特許文献１】特公昭４９-６１５９号公報(特許請求の範囲)。
【特許文献２】特公昭６０-３０５５６号公報(第３欄第２４行目〜第４欄１５行目)。
【特許文献３】特開昭６３-１０２９９８号公報(特許請求の範囲)。
【特許文献４】実開昭６２-１１４７８１号公報(実用新案登録請求の範囲)。
【特許文献４】実開平４-１２４６８３号公報(実用新案登録請求の範囲)。
【発明の開示】
【発明が解決しようとする課題】
【０００６】
しかしながら、上記獣毛と先端をテーパー化した合成樹脂製筆毛とを混毛したものの場合、獣毛ゆえの欠点を合わせ持たざるを得ず、又、クリンプの波長が各々相違する多数の合成樹脂製筆毛よりなるものの場合、空間率が大きくなり易く、塗布性は向上するが、腰が弱くなり使用感が悪くなるといった問題を有していた。又、先端をテーパー化した合成樹脂製筆毛を用いて、ストレートな大径と小径と断面形状が異形な筆毛を混毛した筆穂は、塗布液の掻き取り性は良いが、塗布液が溝に入り込み易く、塗布液の吐出が悪くなったり、ストレートな大径の筆毛を用いているので、使用感がハードになるといった問題があった。さらに、上記の筆穂を含め、通常筆穂は特にテーパー毛を用いるものの場合、筆穂を円錐状に作成し、毛管現象を強くし筆穂がまとまるようにするが、このような筆穂であると筆穂自体がまとまっているので、高粘度インキやパウダー粉が筆穂に入り込こみ、筆穂からの液の離れが悪いといた問題も残されていた。
【課題を解決するための手段】
【０００７】
本発明は、毛先がテーパー加工された合成樹脂製の筆毛を束ねて筆穂とし、該筆穂を軸に取り付けた筆穂において、この筆穂の中間部における外形と先端部近傍における外形とがほぼ同形となるように筆毛を構成したことを要旨とするものである。
【発明の効果】
【０００８】
本発明に係る筆穂は、毛先がテーパー加工された合成樹脂製の筆毛を束ねて筆穂とし、該筆穂を軸に取り付けた筆穂において、この筆穂の中間部における外形と先端部近傍における外形とがほぼ同形となるように筆毛を構成したので、塗布液の保持性と吐出が良好で、塗布時のタッチを滑らかにし、長い時間使用しても筆穂が乾燥しにくい筆穂が得られるものである。
【発明を実施するための最良の形態】
【０００９】
以下、本発明について説明する。図１において、参照符号１は、リップ用筆穂であり、この筆穂１は、固定管７に挿入・固定され、この固定管７はインキ内蔵された後軸８の前端より挿入固定され筆を形成している。また、筆穂１は、先端にテーパー加工した断面が中空の３穴を有する筆毛２と、クリンプを有する筆毛２、３とを用いて長手方向に集束し、後端部を熱溶着や接着剤による接着などの方法により固着して形成したものである。
また、以下の本実施例において筆穂１の断面形状は、中間部と先端近傍部においてほぼ同形の円形状をなしており、その外観形状として筆毛３が収束された円柱状をなしているが、筆穂の断面形状を楕円形状としても良く、或いは、８角形や１２角形、１６角形などとしても良い。尚、筆穂１の断面形状は、中間部と先端近傍部において同形の円形状をなすのが好ましいが、製造時のばらつきや気温、湿気、或いは、筆穂に蓄えられたインキの貯留量などにより、若干異なってしまうことがある。しかし、その若干の相違にあっては本効果を損失するものではなく、十分に呈するものとなっている。ちなみに、湿気やインキが筆穂の先端に吐出され蓄えられると、そのインキの表面張力によって各筆毛が引き寄せられ、若干ではあるものの、筆穂の中間部分よりも先端部近傍が縮形する。
【００１０】
筆毛に使用している繊維材質としては、ポリアミド(６，６−ナイロン、６−ナイロン、６、１２−ナイロン、６，１０−ナイロン、６，１２ナイロンなど)ポリエステル(ポリエチレンテレフタレート、ポリブチレンテレフタレート)などを用いることができるが、上記材質が同一であっても異なっていても良い。
尚、筆穂１に使用する筆毛は、断面が中空の筆毛が少なくとも混毛してあれば、他の筆毛は、断面が異形の筆毛、筆毛表面に凹凸を有する筆毛、クリンプを有する筆毛、ストレートな筆毛を混毛して使用することができるが、断面が中空の筆毛を少なくとも使用すれば他の筆毛は、何種類使用しても良い。
又、使用する用途及びインキ粘度、使用するインキの種類よっては、筆穂の先端が円柱状の斜形状に配置すれば、上記の繊維を単体で使用することもできる。
【００１１】
前記合成樹脂製の先端をテーパー化し筆穂となすには、前記したように、処理液による方法が好ましく、その処理液の具体的一例としては、ポリアミドに対してメタクレゾールと塩化カルシウムーメタノール溶液との混和液、ポリエステルに対して水酸化ナトリウムなどの組み合わせが挙げられる。但し、必ずしもこの方法に限定されるものではなく、例えば合成樹脂製繊維に熱延伸を与えてテーパー状に引き伸ばしたり、グラインダー研磨など機械的にテーパー化するなどの他の方法を採用しても良い。
今回は、リップ用筆穂の例を挙げて説明したが、製作する製品によって筆毛テーパーの長さを調整したり、テーパーを施さないものを混毛して使用しても良い。
【００１２】
筆穂１に用いる筆毛の径(直径Ｄ)は、製造する用途又は大きさ(太さ及び長さ)によっても異なるが、本発明に係る筆穂１における筆毛２、３、４、５、６は、０．０５ｍｍ〜０．１６ｍｍのものを用いることが好ましい。尚、ここでいう筆毛の径とは、テーパー加工されていない部分の径をいうものである。又、筆毛の太さがこの範囲の中であれば何種類使用して良い。
又、ここで、筆穂１を円柱状になすには、筆毛先端部からのテーパーの長さが重要であり、その範囲としては、２．０ｍｍ〜８．０ｍｍ程度が好ましい。筆毛先端部からのテーパー長さが２．０ｍｍに満たないと筆穂が円柱状になり易いが、テーパーが短いため、塗布時に肌当たりがハードになり使用感が悪くなったり、筆毛の先端近傍における空間が少ないためインキが溜まり難く、一方、筆毛先端部からのテーパーの長さが８．０ｍｍを超えると筆穂が円柱状になり難く、テーパーが長いため、筆穂が円錐状になり、塗布時の吐出性が悪くなったり、筆穂がまとまっているので筆穂が広がり難くなり、塗布時のタッチが悪くなるからである。従来、筆穂は、筆穂自体まとまるように作成するのが、このときのテーパーの長さは８．０ｍｍ以上あるのが通常である。
【００１３】
合成樹脂製の筆毛２,３の先端にテーパー加工を施し、その筆毛２,３の先端部を円柱状の斜形状に配置した筆穂1を使用する目的は、まず、筆穂１にテーパー加工を施したものを円柱状にすることで、後方より押し出されたインキが毛管力で塗布液を筆毛前方まで導き、筆穂先端が円柱状であるが故に、即ち、隣り合う筆毛間に形成される空間部に導き出され、そのインキが先端に広がり溜まり易くなり、また、筆毛の先端に多くの空間部が形成されるが故に毛管力が弱くなり、該部分に溜まったインキが塗布面に対して離れやすくなる。つまり、インキ吐出を良くするために使用するものである。例えば、筆穂の先端をぶつ切りの場合には、即ち、基部から先端部までの直径が等しいストレートな筆毛を束ねた筆穂の場合には、筆毛が先端部と基部が同じ太さであるため、空間が少なく毛管力が無いため、インキを先端に導き難く、先端にインキが溜まり難くなったりしてしまう。
又、筆穂１の先端を斜形状に配置することで、塗布時に筆穂１を押し付けたときに、筆穂１の先端近傍が円柱状をなしているので、筆穂１が広がりやすいため、広範囲に塗布しやすく、また、斜形状の部分が曲線に合わせやすいので、スムーズに塗布することができるようになる。
【００１４】
前記筆穂１の先端部の斜形状の頂部９から斜形状底部１０の長さの差異Ｅが０．５０ｍｍ〜４．０ｍｍであることが好ましい。筆穂１の先端部の斜形状の頂部９から斜形状底部１０の長さの差異が０．５ｍｍに満たないと、筆穂１の先端部の円柱状の斜形状の角度が鈍角になり過ぎて、曲線に筆穂１を合わせにくくなり、きれいな曲線が描けなくなるからである。又、筆穂１の先端部の斜形状の頂部９から斜形状底部１０の長さの差異Ｅが４．０ｍｍを超えると円柱状の斜形状の角度が鋭角になり過ぎて、筆穂１の広がりが悪くなり広範囲に塗布しにくくなり、塗布の作業頻度が増えてしますからである。
【００１５】
前記筆穂１に断面が中空を有する筆毛２を少なくとも混毛して使用する目的は、断面形状の中空部の中に塗布液が入り込み、その塗布液の保持性を良くすると共に、筆毛２の乾燥性を遅くするので、長い時間使用したり、長時間保存しても筆穂１が乾燥しにくいので、カスレなどの不具合が出にくいからである。その直径としては、０．０５ｍｍ〜０．１６ｍｍ程度のものが好ましい。その理由としては、直径が０．０５ｍｍに満たないとテーパー加工上テーパーが形成されない粗い毛が混入することがあり、直径が０．１６ｍｍを超えると塗布時に肌当たりがハードになり使用感が悪くなるからである。
尚、筆毛２の中空部の断面形状が丸型、四角形、三角形、家紋状風車状のものの方が顕著な効果を示すので好ましい。又、筆毛２の中空部の穴の数は、１〜６個が好ましい。
上記筆毛２に混毛するものとしては、前記したように、他の筆毛は、断面が異形の筆毛、筆毛表面に凹凸を有する筆毛、クリンプを有する筆毛、ストレートな筆毛を混毛して使用することができるが、断面が中空の筆毛を少なくとも使用すれば他の筆毛は、何種類使用しても良い。又、使用する用途及びインキ粘度、使用するインキの種類よっては、筆穂の先端部が円柱状の斜形状に配置してあれば、上記の繊維を単体で使用することもできる。
又、筆穂１は、特に高粘度インキに適しており、その範囲としては、３０ｍＰａ・ｓ〜５００００ｍＰａ・ｓが好ましい。
【００１６】
本発明の筆穂を製造するに当たっては、上記断面が中空を有する筆毛を含む２種類の筆毛を少なくとも混毛し、先端部を円柱状の斜形状に配置し形成されたものを集束し、その集束した物の後端部を溶着や接着又は、後端部を糸などで縛って筆毛の脱落を防止して筆穂となす訳であるが、混毛された筆穂は、断面が中空を有する筆毛２とクリンプを有する筆毛３がお互いに均一に配列されていることが好ましい。
【００１７】
（実施例）
以下、本発明の実施例について、図面を参照して説明する。図２（ａ）において、筆毛２と筆毛３にテーパー加工を施し混毛した後、その長手方向に沿って、筆毛２、３を先端に寄せてから、所定の治具を使用し、先端部を円柱状の斜形状に配置し、その筆毛の後端部を溶着して筆穂1を形成したものである。
【００１８】
図２（ｂ）に示すように、前記筆穂1を固定管７の挿入穴７ａの後方より挿入して、圧入固定され、後軸８の前端に挿入固定され筆を形成している。
この筆穂1は、筆毛２,３にテーパー加工を施し、その筆毛２、３の先端部を円柱状の斜形状に配置した形状の筆穂１を用いるが、他の条件の筆穂の先端部の斜形状の頂部から斜形状底部の差異Ｅ、使用筆毛の形状、筆毛太さを表１に示すと共に、実施例1〜１３、並びに、比較例１〜１４を表２に示す。
【００１９】
【表１】
2010148744.tif 000003
【００２０】
上記実施例１〜１３、比較例１〜１４の筆穂を用いて、図1に示すリップ用の筆穂を形成し、塗布液の含み、塗布時のタッチ、筆穂の乾燥性についてのアンケート調査を行った。
【００２１】
【表２】
2010148744.tif 000004
【００２２】
塗布試験(モニター調査)
方法:任意に抽出したモニターに実際にリップ用の筆穂を使用してもらい、使用性についてのモニター調査を実施した。その調査結果を表３に示す。
【００２３】
【表３】
2010148744.tif 000005
【産業上の利用可能性】
【００２４】
本発明に係る筆穂は、筆毛にテーパー加工を施し、その筆穂の先端部を円柱状の斜形状に配置し、その筆毛として、断面が中空を有する筆毛を少なくとも混毛して用いて形成された筆穂であり、この２つの組み合わせによって、筆穂先端部を円柱状にすることで、塗布液を後方より押し出したときに筆穂が円柱状であるためインキが先端に広がり溜まり易く、塗布時に毛管力が弱いため、インキの離れが良くなるので吐出を良くなるものであり、又、筆穂を斜形状に配置することで、塗布時に筆穂を押し付けたときに、筆穂がまとまっていないので、筆穂が広がりやすいため、広範囲に塗布しやすいことや斜形状の部分が曲線に合わせやすいので、スムーズに塗布できるものであり、又、断面が中空を有する筆毛が中空部の中に塗布液が入り込み、その塗布液の保持性を良くすると共に、筆毛の乾燥性を遅くするので、長い時間使用したり、長時間保存しても筆穂が乾燥しにくいので、全体として塗布液の保持性と吐出が良好で、塗布時の肌当たりがソフトで、筆穂の乾燥がしにくい筆穂が得られるものである。
【図面の簡単な説明】
【００２５】
【図１】本発明に係わるリップ用の筆穂の概略の側面図である。
【図２】（ａ）筆毛にテーパー加工を施し、その筆毛の先端部を円柱状の斜形状に配置し、後端部を熱溶着した筆穂の側面図。  （ｂ）筆穂を固定管７の後方より挿入して、圧入固定され、後軸８の前端に挿入固定された横断面図である。
【図３】本発明に係わる筆毛の拡大図である。
【図４】本発明に係る筆毛の基部断面形状及び中空部断面形状の拡大模式図である。
【図５】変形例を示す図である。
【図６】変形例を示す図である。
【符号の説明】
【００２６】
１    筆穂
２    先端をテーパー加工した断面が中空を有する筆毛の拡大図
３    先端をテーパー加工したクリンプを有する筆毛の拡大図
４    先端をテーパー加工した断面が異形な筆毛の拡大図
５    先端をテーパー加工した表面が凹凸を有する筆毛の拡大図
６    先端をテーパー加工したストレートな筆毛の拡大図
７    固定管
８    後軸
９    筆穂円柱状の斜形状の頂部
１０  筆穂円柱状の斜形状の底部
１１  中空部
【図１】
2010148744.tif 000006
【図２】
2010148744.tif 000007
【図３】
2010148744.tif 000008
【図４】
2010148744.tif 000009
【図５】
2010148744.tif 000010
【図６】
2010148744.tif 000011